(57)【要約】      （修正有）【課題】持ち手部材を単体で持ち手以外の用途に利用することができるとともに、袋体の開閉を繰り返すことができる手提げ袋を提供する。【解決手段】手提げ袋は、袋体１０と、袋体に対して着脱自在な持ち手部材２０と、を備えている。袋体の前壁部１２および後壁部１３のそれぞれの上部に差込口１７，１８が形成されている。持ち手部材は、前壁部の前面に重ねられる本体部２１と、本体部の上部から上方に向けて突出している把持部２２と、を備え、把持部は、両差込口１７，１８に挿通され、後壁部１３の後側に突出している。本体部２１の幅は、前壁部の差込口１７の幅よりも大きく形成されている。【選択図】図１
0003199957.tif 000002
【実用新案登録請求の範囲】
【請求項１】
袋体と、前記袋体に対して着脱自在な持ち手部材と、を備えている手提げ袋であって、
前記袋体の前壁部および後壁部のそれぞれの上部に差込口が形成されており、
前記持ち手部材は、
前記前壁部の前面に重ねられる本体部と、
前記本体部の上部から上方に向けて突出している把持部と、を備え、
前記把持部は、前記両差込口に挿通され、前記後壁部の後側に突出しており、
前記本体部の幅は、前記前壁部の前記差込口の幅よりも大きく形成されていることを特徴とする手提げ袋。
【請求項２】
前記本体部は、前記前壁部の前面の上部から下部に亘って重ねられていることを特徴とする請求項１に記載の手提げ袋。
【考案の詳細な説明】
【技術分野】
【０００１】
本考案は、手提げ袋に関する。
【背景技術】
【０００２】
手提げ袋としては、袋体と、袋体の上部に接着された持ち手部材と、を備えているものがある。従来の手提げ袋では、二つ折りにした板紙によって持ち手部材を形成し、持ち手部材の一端部を袋体の前面に接着するとともに、持ち手部材の他端部を袋体の後面に接着している（例えば、特許文献１参照）。
【先行技術文献】
【特許文献】
【０００３】
【特許文献１】特開２０１５−０２７８８１号公報
【考案の概要】
【考案が解決しようとする課題】
【０００４】
前記した従来の手提げ袋では、両面テープなどの接着手段によって持ち手部材が袋体に接着されているため、持ち手部材を取り外すことができない。したがって、前記した従来の手提げ袋では、袋体の上部を開くときに、持ち手部材を切り開く必要がある。このように、従来の手提げ袋は、袋体の開閉を繰り返すことができないという問題がある。
【０００５】
本考案は、前記した問題を解決し、持ち手部材を単体で持ち手以外の用途に利用することができるとともに、袋体の開閉を繰り返すことができる手提げ袋を提供することを課題とする。
【課題を解決するための手段】
【０００６】
前記課題を解決するため、本考案は、袋体と、前記袋体に対して着脱自在な持ち手部材と、を備えている手提げ袋である。前記袋体の前壁部および後壁部のそれぞれの上部に差込口が形成されている。前記持ち手部材は、前記前壁部の前面に重ねられる本体部と、前記本体部の上部から上方に向けて突出している把持部と、を備えている。前記把持部は、前記両差込口に挿通され、前記後壁部の後側に突出している。前記本体部の幅は、前記前壁部の前記差込口の幅よりも大きく形成されている。
【０００７】
本考案の手提げ袋は、持ち手部材が袋体に対して着脱自在であるため、持ち手部材を袋体から取り外して、持ち手部材を単体で持ち手以外の用途に利用することができる。例えば、持ち手部材を装飾品や実用品として利用したり、持ち手部材に箱などの容器を形成したりすることができる。また、袋体に持ち手部材を着脱することで、袋体のデザインを変化させることができる。
【０００８】
本考案の手提げ袋では、持ち手部材を袋体から取り外して、袋体の上部を開くことができる。また、袋体を閉じた後に、再度、持ち手部材を袋体に取り付けることができる。このように、本考案の手提げ袋では、袋体の開閉を繰り返すことができる。
本考案の手提げ袋では、持ち手部材が袋体の前後に配置されており、本体部によって袋体の前壁部が押さえられ、把持部によって後壁部が押さえられるため、袋体の上部を閉じた状態に保つことができる。
【０００９】
前記した手提げ袋において、前記本体部が前記前壁部の前面の上部から下部に亘って重なるように、持ち手部材を大きく形成した場合には、持ち手部材の用途を増やすことができる。
【考案の効果】
【００１０】
本考案の手提げ袋では、持ち手部材を単体で持ち手以外の用途に利用することができるため、持ち手部材を商品の販売促進に利用することができる。
また、本考案の手提げ袋では、袋体の開閉を繰り返すことができるため、資源を有効に利用することができる。
また、本考案の手提げ袋では、持ち手部材によって、袋体の上部を閉じた状態に保つことができる。
【図面の簡単な説明】
【００１１】
【図１】本考案の実施形態に係る手提げ袋を示した図で、（ａ）は前方から見た斜視図、（ｂ）は後方から見た斜視図である。
【図２】本考案の実施形態に係る手提げ袋を示した図で、（ａ）は袋体の斜視図、（ｂ）は持ち手部材の斜視図である。
【図３】本考案の他の実施形態に係る手提げ袋を示した図で、（ａ）は持ち手部材が団扇である構成の斜視図、（ｂ）は持ち手部材がお面である構成の斜視図、（ｃ）は持ち手部材に箱体を設けた構成の斜視図である。
【考案を実施するための形態】
【００１２】
本考案の実施形態について、適宜図面を参照しながら詳細に説明する。
以下の説明において、前後左右方向とは、手提げ袋１を説明する上で便宜上設定したものであり、手提げ袋１の構成を限定するものではない。
【００１３】
手提げ袋１は、図１（ａ）に示すように、袋体１０と、袋体１０に対して着脱自在な持ち手部材２０と、を備えている。手提げ袋１は、使用者が持ち手部材２０を把持して持ち運び可能な包装容器であり、袋体１０内に収容物を収容して使用する。
【００１４】
袋体１０は、図２（ａ）に示すように、紙製の袋である。袋体１０は、底板１１と、底板１１の前後の縁部に立設された前後一対の壁部１２，１３と、底板１１の左右の縁部に立設された左右一対の壁部１４，１５と、を備えている。袋体１０の上面には開口部１０ａが形成されている。
【００１５】
底板１１は、長方形に形成されており、前後方向よりも左右方向が大きく形成されている。底板１１に立設された前後左右の壁部１２〜１５は、角筒状に配置されている。
左壁部１４の左右方向の中央部には、上下方向に延びている折線Ｌ１が形成されている。同様に、右壁部１５の左右方向の中央部にも折線Ｌ１が形成されている。
【００１６】
袋体１０の開口部１０ａを閉じるときには、左右の壁部１４，１５の両折線Ｌ１，Ｌ１を外側から見て谷折りに折り曲げる。
これにより、左右の壁部１４，１５の左右方向の中央部が袋体１０の内側に入り込み、前壁部１２は後方に向けて傾斜し、後壁部１３は前方に向けて傾斜する。
そして、前後の壁部１２，１３の上縁部同士を重ねることで、袋体１０の開口部１０ａが閉じた状態となる（図１（ａ）参照）。
【００１７】
前後の壁部１２，１３のそれぞれの上部に差込口１７，１８が形成されている。前後一対の差込口１７，１８は、前後の壁部１２，１３の上部において左右方向の中央部に形成されている。
差込口１７は、前壁部１２を貫通しているスリット１７ａによって構成されている。スリット１７ａは、左右方向の延びている部位と、左右の端部から下方に向けて延びている部位と、が形成されている。
【００１８】
前壁部１２の上部には、スリット１７ａによって前壁部１２から切り離されたフラップ１２ａが形成されている。フラップ１２ａは下縁部以外の上縁部および左右の側縁部が前壁部１２から切り離されている。
【００１９】
後壁部１３の差込口１８は、図１（ｂ）に示すように、前壁部１２の差込口１７（図２（ａ）参照）と同じ形状である。後壁部１３の上部には、前壁部１２のフラップ１２ａ（図２（ａ）参照）と同様に、スリット１８ａによって後壁部１３から切り離されたフラップ１３ａが形成されている。
【００２０】
持ち手部材２０は、図１（ａ）に示すように、手提げ袋１の持ち手となる板紙である。持ち手部材２０は、本体部２１と、本体部２１の上端部に突設された把持部２２と、を備えている。
【００２１】
持ち手部材２０は、手提げ袋１の持ち手であるとともに、手提げ袋１の前面を装飾する部材でもある。また、本実施形態の持ち手部材２０は、図２（ｂ）に示すように、ドアや壁に飾るリースを模倣しているため、単体で装飾品として利用することができる。
【００２２】
本体部２１は、図１（ａ）に示すように、前壁部１２の前面に重なる部位であり、本実施形態では、円形のリング状に形成されている。本体部２１の前面には、リースを模倣した絵が描かれている。
【００２３】
本体部２１の左右方向の最大幅は、差込口１７の左右方向の幅よりも大きく形成されており、袋体１０の前壁部１２の左右方向の幅と略同じである。
本体部２１の上下方向の最大高さは、袋体１０の差込口１７から前壁部１２の下縁部までの高さよりも僅かに小さく形成されている。
このように、本体部２１が前壁部１２の前面の広い範囲に重なるように、本体部２１の大きさが設定されている。
【００２４】
把持部２２は、本体部２１の上端部から上方に向けて直線状に突出している。把持部２２の上縁部は、上方に向けて凸形状となるように湾曲している。
把持部２２の左右方向の幅は、両差込口１７，１８（図１（ｂ）参照）の左右方向の幅よりも僅かに小さく形成されている。
【００２５】
把持部２２は、両差込口１７，１８に対して前後方向に挿通されている。把持部２２は、図１（ｂ）に示すように、袋体１０の前側から両差込口１７，１８（図１（ａ）参照）に挿入され、袋体１０の後側に突出している。
把持部２２の下端部が両差込口１７，１８に挿通している状態では、把持部２２は袋体１０の上縁部よりも上方に突出している。
【００２６】
把持部２２を両差込口１７，１８（図１（ａ）参照）に挿通した状態では、持ち手部材２０が袋体１０の前後に配置されている。この状態では、本体部２１によって袋体１０の前壁部１２が押さえられ、把持部２２によって後壁部１３が押さえられる。したがって、持ち手部材２０によって、袋体１０の開口部１０ａを閉じた状態に保つことができる。
【００２７】
把持部２２には、図２（ｂ）に示すように、指掛け穴２３が貫通している。指掛け穴２３は、把持部２２の下端部から上部に亘って直線状に延びている。指掛け穴２３の上縁部は、把持部２２の上縁部に沿って湾曲している。
図１（ａ）に示すように、把持部２２の下端部が両差込口１７，１８に挿通されている状態では、指掛け穴２３は袋体１０の上縁部よりも上方に突出している。
【００２８】
手提げ袋１を持ち運ぶときには、使用者は指掛け穴２３に指を通して、把持部２２の上部を把持する。
本実施形態の把持部２２は、図２（ｂ）に示すように、持ち手部材２０を単体でリースとして利用するときには、リースの吊り具となる。
【００２９】
本実施形態の手提げ袋１では、図２（ａ）に示すように、袋体１０から持ち手部材２０（図１（ａ）参照）を取り外した状態で、袋体１０の開口部１０ａを開くことができ、袋体１０内に収容物を出し入れすることができる。
【００３０】
袋体１０に持ち手部材２０を取り付けるときには、図１（ａ）に示すように、持ち手部材２０を袋体１０の前側に配置する、そして、把持部２２を両差込口１７，１８（図１（ｂ）参照）に対して前方から後方に向けて挿入し、把持部２２を袋体１０の後側に突出させる。
【００３１】
なお、把持部２２を両差込口１７，１８（図１（ｂ）参照）に挿入するときに、前後の壁部１２，１３の両フラップ１２ａ，１３ａ（図１（ｂ）参照）は把持部２２に押されて後方に傾斜する。これにより、把持部２２を両差込口１７，１８に対してスムーズに挿入することができる。
【００３２】
把持部２２を両差込口１７，１８（図１（ａ）参照）に挿通すると、本体部２１によって袋体１０の前壁部１２が押さえられ、把持部２２によって後壁部１３が押さえられる。したがって、持ち手部材２０によって、袋体１０の開口部１０ａを閉じた状態に保つことができる。
【００３３】
袋体１０の後側で把持部２２を引き上げていくと、本体部２１の上部が前壁部１２の差込口１７の両側で前壁部１２の前面に引っ掛かる。さらに、把持部２２を引き上げると、持ち手部材２０に袋体１０が吊り下げられた状態となる。
【００３４】
以上のような手提げ袋１では、図１（ａ）に示すように、持ち手部材２０が袋体１０に対して着脱自在であり、持ち手部材２０を袋体１０から取り外すことができる。
したがって、手提げ袋１では、図２（ｂ）に示すように、持ち手部材２０を単体で持ち手以外の用途に利用することができ、持ち手部材２０を商品の販売促進に利用することができる。本実施形態では、持ち手部材２０を装飾品であるリースとして利用することができる。
【００３５】
また、手提げ袋１では、図１（ａ）に示すように、袋体１０の前壁部１２の前面の広い範囲に持ち手部材２０の本体部２１が配置されるため、袋体１０に持ち手部材２０を着脱することで、袋体１０のデザインを変化させることができる。
【００３６】
また、手提げ袋１では、持ち手部材２０を袋体１０から取り外して、袋体１０の上部を開閉した後に、再度、持ち手部材２０を袋体１０に取り付けることができる。
このように、手提げ袋１では、袋体１０の開閉を繰り返すことができるため、資源を有効に利用することができる。
【００３７】
以上、本考案の実施形態について説明したが、本考案は前記実施形態に限定されることなく、その趣旨を逸脱しない範囲で適宜に変更が可能である。
本実施形態の手提げ袋１では、図１（ａ）に示すように、持ち手部材２０を単体でリースとして利用することができるが、持ち手部材２０の用途は限定されるものではなく、各種の装飾品や実用品として利用することができる。
【００３８】
例えば、図３（ａ）に示す手提げ袋１Ａでは、持ち手部材２０Ａを団扇として利用することができる。この場合には、持ち手部材２０Ａの本体部２１が扇部を構成し、把持部２２が柄を構成している。
また、図３（ｂ）に示す手提げ袋１Ｂでは、持ち手部材２０Ｂをお面として利用することができる。
また、図３（ｃ）に示す手提げ袋１Ｃでは、持ち手部材２０Ｃに容器として箱が形成されている。
【００３９】
本考案の手提げ袋１では、図１（ａ）に示すように、本体部２１が袋体１０の前壁部１２の前面の上部から下部に亘って広い範囲に重なるように、持ち手部材２０を大きく形成することで、持ち手部材２０の用途を増やすことができる。
なお、持ち手部材２０の本体部２１の左右方向の幅を袋体１０の前壁部１２の左右方向の幅よりも大きく形成してもよい。
また、袋体１０の形状は限定されるものではなく、前壁部と後壁部との二枚の紙の縁部を張り合わせた袋体を用いることもできる。
【符号の説明】
【００４０】
１      手提げ袋
１０    袋体
１０ａ  開口部
１１    底板
１２    前壁部
１２ａ  フラップ
１３    後壁部
１３ａ  フラップ
１４    左壁部
１５    右壁部
１７    差込口
１７ａ  スリット
１８    差込口
１８ａ  スリット
２０    持ち手部材
２１    本体部
２２    把持部
２３    指掛け穴
【図１】
0003199957.tif 000003
【図２】
0003199957.tif 000004
【図３】
0003199957.tif 000005